(57)【要約】【課題】用途に応じて撮像の開始タイミングを変更したり、他の用途に用いるタイミングを設定したりすることができるインターホンシステムを提供する。【解決手段】インターホンシステム１は、ロビーインターホン装置１０の撮像部１１が撮像を開始するためのトリガ条件又は撮像部１１が撮像した画像を用いた処理を開始するためのトリガ条件を設定する第１設定部１０１を備える。これにより、インターホンシステム１は、撮像部１１が撮像を開始するためのトリガ条件を設定するので、トリガ条件に応じて、撮像の開始タイミングを変更することができる。【選択図】図１
2019193095.tif 000002
【特許請求の範囲】
【請求項１】
インターホン玄関装置の撮像部が撮像を開始するためのトリガ条件又は前記撮像部が撮像した画像を用いた処理を開始するためのトリガ条件を設定する条件設定部を備える、
インターホンシステム。
【請求項２】
入力情報を受け付ける入力部を、さらに備え、
前記トリガ条件は、前記入力部が受け付けた前記入力情報の有無、又は前記入力情報の種類を含む、
請求項１に記載のインターホンシステム。
【請求項３】
操作部を、さらに備え、
前記入力情報は、前記操作部が受け付けた操作に係る情報を含む、
請求項２に記載のインターホンシステム。
【請求項４】
前記入力部は、外部機器から情報を前記入力情報として受け取る、
請求項２又は３に記載のインターホンシステム。
【請求項５】
前記撮像部が撮像した画像の用途を設定する用途設定部を、さらに備え、
前記用途設定部は、情報端末に送信する第１用途と、前記第１用途とは異なる用途である第２用途とを少なくとも含む複数の用途候補から前記画像の用途を設定する、
請求項１〜４のいずれか一項に記載のインターホンシステム。
【請求項６】
前記撮像部が撮像した画像は、人を含み、
前記第２用途は、前記画像に含まれる人を認証する用途を含む、
請求項５に記載のインターホンシステム。
【請求項７】
前記撮像部が撮像した画像の送信先を設定する送信先設定部を、さらに備え、
前記送信先設定部は、情報端末、及び外部に存在する外部装置を少なくとも含む複数の送信先候補から前記画像の送信先を設定する、
請求項１〜６のいずれか一項に記載のインターホンシステム。
【発明の詳細な説明】
【技術分野】
【０００１】
本開示は、一般にインターホンシステムに関し、より詳細には撮像部を備えるインターホンシステムに関する。
【背景技術】
【０００２】
従来、カメラ等の撮像手段を備えるインターホン子機と、呼出時に撮像手段で撮像された画像（静止画像、動画像）を表示するインターホン親機とを備えるインターホンシステムが知られている（例えば、特許文献１参照）。
【０００３】
特許文献１のインターホンシステムを用いることで、住人（居住者）が来訪者の挙動を認識することができる。
【先行技術文献】
【特許文献】
【０００４】
【特許文献１】特開２０１５−１１１９３５号公報
【発明の概要】
【発明が解決しようとする課題】
【０００５】
近年、撮像手段（撮像部）で撮像される画像を居住者の呼出だけでなく、他の用途にも利用が可能であるが、この場合、用途に応じて撮像の開始タイミングを変更したり、他の用途に用いるタイミングを設定したりする必要がある。
【０００６】
本開示は上記課題に鑑みてなされ、用途に応じて撮像の開始タイミングを変更したり、他の用途に用いるタイミングを設定したりすることができるインターホンシステムを提供することを目的とする。
【課題を解決するための手段】
【０００７】
本開示の一態様に係るインターホンシステムは、インターホン玄関装置の撮像部が撮像を開始するためのトリガ条件又は前記撮像部が撮像した画像を用いた処理を開始するためのトリガ条件を設定する条件設定部を備える。
【発明の効果】
【０００８】
本開示によると、用途に応じて撮像の開始タイミングを変更したり、他の用途に用いるタイミングを設定したりすることができる。
【図面の簡単な説明】
【０００９】
【図１】図１は、一実施形態に係るインターホンシステムの構成を説明するブロック図である。
【図２】図２は、同上のインターホンシステムにおけるロビーインターホン装置及びセンサ装置の設置例を説明する図である。
【図３】図３は、同上のインターホンシステムにおける動作例を説明する流れ図である。
【図４】図４は、同上のインターホンシステムにおける別の動作例を説明する流れ図である。
【図５】図５は、一実施形態に係るサーバの動作を説明する流れ図である。
【発明を実施するための形態】
【００１０】
以下に説明する実施形態及び変形例は、本開示の一例に過ぎず、本開示は、実施形態及び変形例に限定されない。この実施形態及び変形例以外であっても、本開示に係る技術的思想を逸脱しない範囲であれば、設計等に応じて種々の変更が可能である。
【００１１】
（実施形態）
以下、本実施形態に係るインターホンシステム１及びロビーインターホン装置１０について、図１〜図５を用いて説明する。
【００１２】
（１）概要
本実施形態のインターホンシステム１は、図１に示すように、ロビーインターホン装置１０と、複数（図示例では２つ）のインターホン親機２０と、複数（図示例では２つ）のインターホン子機３０と、制御装置４０とを備えている。本実施形態では、インターホンシステム１が施設５としての集合住宅に用いられる場合を例として説明する。
【００１３】
ロビーインターホン装置１０は、例えば、集合住宅のロビーなどの共用部に設置される。集合住宅は、共用部の他、複数の専有部（住戸）を有している。インターホン親機２０は、専有部ごとに当該専有部内に設置される。インターホン子機３０は、例えば、専有部ごとに当該住戸の外玄関に設置される。
【００１４】
ロビーインターホン装置１０とインターホン親機２０とは、制御装置４０を介して互いに通信可能に構成されている。これにより、本実施形態に係るインターホンシステム１では、ロビーインターホン装置１０とインターホン親機２０との間で通話可能となる。ロビーインターホン装置１０は、施設５の共用部の外玄関に設けられたセンサ装置５０と通信可能に構成されている。さらに、インターホン親機２０とインターホン子機３０とは、互いに通信可能に構成されている。
【００１５】
ロビーインターホン装置１０は、予め設定された条件であって撮像を開始するためのトリガ条件を満たすと、来訪者の撮像を開始する。ロビーインターホン装置１０は、来訪者から呼び出しのための操作を受け付けると、専有部内の居住者を呼び出すための制御信号（呼出信号）をインターホン親機２０に制御装置４０を介して送信する。ロビーインターホン装置１０は、インターホン親機２０に対する操作によりインターホン親機２０との間で通話が可能になると、来訪者の音声のデータを制御装置４０を介してインターホン親機２０に送信する。ロビーインターホン装置１０は、インターホン親機２０の操作者の音声のデータを制御装置４０を介して受け取ると、受け取ったデータに基づく音声（操作者の音声）を出力する。
【００１６】
インターホン親機２０が制御信号（呼出信号）をロビーインターホン装置１０から受信している状態（つまり、来訪者からロビーインターホン装置１０を介して呼出がある状態）で専有部内の住居者は、ロビーインターホン装置１０との通話又はロビーの扉５２（図２参照）の解錠の操作を行う。
【００１７】
制御装置４０は、ロビーインターホン装置１０から制御信号（呼出信号）を受け取ると、呼出があるインターホン親機２０に送信する。制御装置４０は、ロビーインターホン装置１０とインターホン親機２０との間で通話が可能な状態である場合には、来訪者の音声のデータ及び操作者の音声のデータを送受信する。さらに、制御装置４０は、インターホン親機２０の操作に応じて、例えばロビーに設けられた扉５２の施錠、解錠を行う。
【００１８】
また、ロビーインターホン装置１０及び制御装置４０は、図示しないゲートウェイを介してインターネット等のネットワーク４と接続可能である。これにより、ロビーインターホン装置１０及び制御装置４０は、ネットワーク４を介してサーバ６０と通信可能である。
【００１９】
インターホン子機３０は、来訪者から呼び出しのための操作を受け付けると、専有部内の居住者を呼び出すための制御信号（呼出信号）をインターホン親機２０に送信する。インターホン子機３０は、インターホン親機２０に対する操作によりインターホン親機２０との間で通話が可能になると、来訪者の音声のデータをインターホン親機２０に送信する。インターホン子機３０は、インターホン親機２０の操作者の音声のデータを受け取ると、受け取ったデータに基づく音声（操作者の音声）を出力する。
【００２０】
センサ装置５０は、例えば人感センサであり、人検知の有無の検知結果を、ロビーインターホン装置１０に送信する。
【００２１】
サーバ６０は、ロビーインターホン装置１０が撮像した画像を用いて、撮像された人物（例えば、来訪者、外出先から帰宅した住居者）の認証を行う。サーバ６０は、認証の結果を、ネットワーク４を介してロビーインターホン装置１０に送信する。
【００２２】
ロビーインターホン装置１０は、認証の結果に応じてロビーの扉５２に対する開閉の制御を行う。
【００２３】
（２）構成
（２−１）ロビーインターホン装置
ロビーインターホン装置１０は、図１に示すように、撮像部１１、センサ部１２、通信部１３、操作部１４、通話部１５、記憶部１６及び制御部１７を備える。
【００２４】
ロビーインターホン装置１０は、例えばプロセッサ及びメモリを有するマイクロコンピュータを有している。そして、プロセッサがメモリに格納されているプログラムを実行することにより、マイクロコンピュータが制御部１７として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００２５】
撮像部１１は、ＣＣＤ（Charge Coupled Devices）イメージセンサ、又はＣＭＯＳ（Complementary Metal-Oxide Semiconductor）イメージセンサ等の二次元イメージセンサ等の撮像素子を有し、被写体（来訪者等）を撮影するためのカメラである。本実施形態では、少なくとも来訪者の顔を撮影できるように、撮像部１１の撮像エリア（視野）は、ロビーインターホン装置１０の前方に設定される。また、本実施形態では、撮像部１１は動画を撮影するカメラであるが、静止画を撮影するカメラであってもよい。さらに、本実施形態では、撮像部１１はカラー画像を撮影するカメラであるが、モノクローム画像を撮影するカメラであってもよい。
【００２６】
センサ部１２は、例えば人の接近を検知する人感センサである。
【００２７】
通信部１３は、制御装置４０を介してインターホン親機２０と通信を行うための通信インタフェースを含んでいる。通信部１３は、ロビーインターホン装置１０とインターホン親機２０との間で音声信号及び制御信号が双方向に伝送可能となるように、インターホン親機２０との間で双方向に通信可能に構成されている。
【００２８】
通信部１３は、ネットワーク４を介してサーバ６０と通信を行うための通信インタフェースも含んでいる。通信部１３は、ロビーインターホン装置１０とサーバ６０との間で、少なくともロビーインターホン装置１０が撮像した画像、画像に係る情報及び認証に係る情報が伝送可能となるように、サーバ６０との間で双方向に通信可能に構成されている。
【００２９】
通信部１３は、センサ装置５０と通信を行うための通信インタフェースを、さらに含む。
【００３０】
操作部１４は、来訪者から呼び出しのための操作を受け付ける。操作部１４に対して所定の操作（例えば押操作）がされると、専有部（住戸）内の住居者を呼び出すための制御信号（呼出信号）を、通信部１３及び制御装置４０を介してインターホン親機２０に送信する。
【００３１】
通話部１５は、スピーカ及びマイクロホンを含み、インターホン親機２０との間で通話可能に構成されている。
【００３２】
記憶部１６は、ＲＯＭ（Read Only Memory）、ＲＡＭ（Random Access Memory）、又はＥＥＰＲＯＭ（Electrically Erasable Programmable Read Only Memory）等から選択されるデバイスで構成される。
【００３３】
記憶部１６は、予め設定されたトリガ条件を記憶する。記憶部１６は、撮像部１１が撮像した画像の用途の候補となる複数の用途候補を記憶する。記憶部１６は、複数の用途候補から予め設定された用途候補を、撮像部１１が撮像した画像の用途として記憶する。
【００３４】
さらに、記憶部１６は、撮像部１１が撮像した画像の送信先の候補となる複数の送信先候補を記憶する。本実施形態では、複数の送信先候補には、インターホン親機２０及びサーバ６０の各々が含まれる。記憶部１６は、複数の送信先候補から予め設定された送信先候補を、撮像部１１が撮像した画像の送信先として、撮像部１１が撮像した画像の用途に対応付けて記憶する。
【００３５】
制御部１７は、図１に示すように、第１設定部１０１（条件設定部）、第２設定部１０２（用途設定部）、第３設定部１０３（送信先設定部）、入力部１０４及び処理部１０５を有する。
【００３６】
第１設定部１０１は、撮像部１１が撮像を開始するためのトリガ条件を設定する。トリガ条件は、入力部１０４が受け付ける入力情報の有無、又は入力情報の種類を含んでいる。例えば、第１設定部１０１は、センサ装置５０の検知結果（人検知の有無）をトリガ条件として受け付ける。また、第１設定部１０１は、操作部１４が受け付ける複数種類の操作のうち呼出操作をトリガ条件として受け付ける。また、第１設定部１０１は、呼出操作の有無をトリガ条件として受け付ける。第１設定部１０１は、トリガ条件を受け付けると、当該トリガ条件を記憶部１６に記憶する。
【００３７】
第２設定部１０２は、複数の用途候補から選択された用途候補を、撮像部１１が撮像した画像の用途として、記憶部１６に設定（記憶）する。例えば呼出用途、第１認証用途及び第２認証用途が用途候補として記憶部１６に記憶されている場合、３つの用途候補のうち少なくとも１つの用途候補が、画像の用途として設定される。なお、複数の用途候補、例えば呼出用途と第１認証用途とが画像の用途として設定される場合には、各用途に対して当該用途で使用する場合の条件を対応付ける。具体的には、センサ装置５０（又は、センサ部１２）が人の接近を検知し、かつ所定時間内に操作部１４に対する操作が行われた場合を条件として、呼出用途に対応付ける。また、センサ装置５０（又は、センサ部１２）が人の接近を検知し、かつ所定時間内に操作部１４に対する操作が行われない場合を条件として、第１認証用途に対応付ける。ここで、呼出用途は、画像を専有部の住居者を呼び出すために用いることである。第１認証用途とは、画像に含まれる人が住居者であるかの認証（本人認証）に画像を用いることである。第２認証用途とは、画像に含まれる人が予め登録された来訪者であるかの認証（来客認証）に画像を用いることである。
【００３８】
第３設定部１０３は、画像の送信先を、用途に応じて記憶部１６に設定（記憶）する。第３設定部１０３は、複数の送信先候補から選択された送信先候補を、撮像部１１が撮像した画像の送信先として、記憶部１６に設定（記憶）する。例えば、用途が呼出用途である場合には、画像の送信先としてインターホン親機２０を当該用途に対応付ける。また、用途が第１認証用途及び第２認証用途のいずれかである場合には、画像の送信先としてサーバ６０を当該用途に対応付ける。なお、複数の用途が設定されている場合には、用途ごとに送信先を設定する。
【００３９】
入力部１０４は、センサ装置５０及びセンサ部１２の各々から検知結果を受け付ける。入力部１０４は、操作部１４が受け付けた操作に係る情報を、操作部１４から受け付ける。
【００４０】
処理部１０５は、入力部１０４が受け付けたセンサ装置５０の検知結果が人を検知したことを表している場合、又はセンサ部１２の検知結果が人を検知したことを表している場合には、撮像部１１を起動する。つまり処理部１０５は、撮像部１１への電力の供給を開始する。
【００４１】
処理部１０５は、入力部１０４が受け付けた入力情報及び記憶部１６が記憶しているトリガ条件を基に、入力部１０４が受け付けた情報（入力情報）がトリガ条件を満たしている場合には、撮像部１１に撮像を開始させる。
【００４２】
処理部１０５は、記憶部１６が記憶する各用途に対応付けられた条件と入力部１０４が受け付けた入力情報とを基に、撮像部１１が撮像した画像の用途を決定する。
【００４３】
処理部１０５は、撮像部１１が撮像した画像を受け取ると、用途に応じた送信先に当該画像を送信する。
【００４４】
処理部１０５は、画像の用途が呼出用途である場合には、制御信号（呼出信号）を、通信部１３及び制御装置４０を介してインターホン親機２０に送信する。処理部１０５は、インターホン親機２０との間で通話が可能な状態である場合に、通話部１５のマイクロホンから来訪者の音声のデータ（音声信号）を受け取ると、受け取った音声信号をインターホン親機２０に送信する。処理部１０５は、インターホン親機２０との間で通話が可能な状態である場合に、インターホン親機２０から操作者の音声信号を受け取ると、受け取った音声信号を通話部１５のスピーカに出力する。このときスピーカは受け取った音声信号を基に音声を出力する。
【００４５】
処理部１０５は、画像の用途が第１認証用途（又は第２認証用途）である場合には、画像及び当該画像の利用用途をサーバ６０に送信した後、サーバ６０から認証結果を受け取る。処理部１０５は、認証結果に応じて共用部の扉５２の開閉動作を制御する。具体的には、認証が成功した場合には、処理部１０５は、共用部の扉５２の開けるための解錠信号を制御装置４０に送信する。一方、認証が失敗した場合には、処理部１０５は、共用部の扉５２の開けるための解錠信号を制御装置４０に送信しない。つまり処理部１０５は、共用部の扉５２の状態を閉じたままの状態に維持する。
【００４６】
（２−２）インターホン親機
インターホン親機２０は、図１に示すように、第１通信部２１と、第２通信部２２と、操作部２３と、通話部２４と、表示部２５と、制御部２６とを備えている。
【００４７】
インターホン親機２０は、例えばプロセッサ及びメモリを有するマイクロコンピュータを有している。そして、プロセッサがメモリに格納されているプログラムを実行することにより、マイクロコンピュータが制御部２６として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００４８】
第１通信部２１は、制御装置４０と通信するための通信インタフェースである。第１通信部２１は、制御装置４０を介してロビーインターホン装置１０に接続されている。例えば、第１通信部２１は、ロビーインターホン装置１０から送信される画像を受信する。さらに、ロビーインターホン装置１０との間で音声信号及び制御信号が双方向に伝送可能となるよう、第１通信部２１は、ロビーインターホン装置１０との間で双方向に通信可能に構成されている。
【００４９】
第２通信部２２は、インターホン子機３０と通信するための通信インタフェースである。第２通信部２２は、例えばツイストペア線等からなる２線式の伝送路を介して、インターホン子機３０と電気的に接続されている。
【００５０】
操作部２３は、専有部内の住居者の操作を受け付ける。第１通信部２１が住居者を呼び出すための制御信号（呼出信号）をロビーインターホン装置１０から受信している状態で、操作部２３に対して所定の操作がされると、インターホン親機２０とロビーインターホン装置１０との間で通話可能な状態となる。ここで、所定の操作は、例えば押操作である。第１通信部２１が呼出信号をロビーインターホン装置１０から受信している状態、又はロビーインターホン装置１０と通話可能な状態で、共用部に設けられた扉５２の解錠の操作がされると、解錠信号が制御装置４０に送信される。
【００５１】
さらに、第２通信部２２が住居者を呼び出すための制御信号（呼出信号）をインターホン子機３０から受信している状態で、操作部２３に対して所定の操作（例えば押操作）がされると、インターホン親機２０とインターホン子機３０との間で通話可能な状態となる。
【００５２】
通話部２４は、スピーカ及びマイクロホンを含み、ロビーインターホン装置１０及びインターホン子機３０との間で通話可能に構成されている。
【００５３】
表示部２５は、ロビーインターホン装置１０及びインターホン子機３０から送信される画像を表示する。
【００５４】
制御部２６は、ロビーインターホン装置１０から制御信号（呼出信号）及び撮像部１１が撮像した画像を、第１通信部２１を介して受け取ると、呼出音の音データを、通話部２４のスピーカに出力し、受け取った画像を表示部２５に出力する。これにより、制御部２６は、通話部２４のスピーカに呼出音を出力させ、かつ第１画像を表示部２５に表示させる。
【００５５】
制御部２６は、インターホン子機３０から制御信号（呼出信号）を、第２通信部２２を介して受け取ると、通話部２４のスピーカに呼出音を出力させる。
【００５６】
（２−３）インターホン子機
インターホン子機３０は、例えばプロセッサ及びメモリを有するマイクロコンピュータを有している。そして、プロセッサがメモリに格納されているプログラムを実行することにより、マイクロコンピュータがインターホン子機３０の機能を実現する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００５７】
インターホン子機３０は、来訪者から呼び出しのための操作を受け付けると、専有部内の住居者を呼び出すための制御信号（呼出信号）をインターホン親機２０に送信する。
【００５８】
インターホン子機３０は、スピーカ及びマイクロホンを含み、インターホン親機２０との間で通話可能に構成されている。
【００５９】
（２−４）サーバ
サーバ６０は、通信部６１と、記憶部６２と、制御部６３とを備える。
【００６０】
サーバ６０は、例えばプロセッサ及びメモリを有するマイクロコンピュータを有している。そして、プロセッサがメモリに格納されているプログラムを実行することにより、マイクロコンピュータが制御部６３として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００６１】
通信部６１は、ネットワーク４を介して、ロビーインターホン装置１０及び制御装置４０と通信するための通信インタフェースである。
【００６２】
記憶部６２は、ＲＯＭ、ＲＡＭ、又はＥＥＰＲＯＭ等から選択されるデバイスで構成される。記憶部６２は、各専有部の住居者の顔の画像、及び住居者が予め登録した来訪者の顔の画像を記憶している。
【００６３】
制御部６３は、通信部６１を介してロビーインターホン装置１０から、撮像部１１が撮像した画像と、当該画像の利用用途とを受け取る。
【００６４】
制御部６３は、受け取った画像を用いて、受け取った利用用途に応じた認証処理を行う。具体的には、制御部６３は、利用用途が第１認証用途である場合には、受け取った画像と、記憶部６２が記憶している各専有部の住居者の顔の画像とを比較する認証処理（本人認証処理）を行う。制御部６３は、利用用途が第２認証用途である場合には、受け取った画像と、記憶部６２が記憶している各専有部の住居者の顔の画像及び予め登録された来訪者の顔の画像とを比較する認証処理（来客認証処理）を行う。
【００６５】
制御部６３は、受け取った画像と一致する画像が記憶部６２に記憶されている場合には、認証が成功したと判断する。制御部６３は、受け取った画像と一致する画像が記憶部６２に記憶されていない場合には、認証が失敗したと判断する。ここで、「一致」とは、完全一致だけでなく、一致度が許容される誤差の範囲である場合も含む。
【００６６】
制御部６３は、通信部６１を介してロビーインターホン装置１０に認証結果を送信する。
【００６７】
（２−５）制御装置
制御装置４０について説明する。制御装置４０は、ロビーインターホン装置１０及びインターホン親機２０と通信するための通信インタフェースを有している。
【００６８】
制御装置４０は、ロビーインターホン装置１０から呼出信号、撮像部１１が撮影した画像及び来訪者の音声の音声信号を受け取ると、インターホン親機２０に送信する。制御装置４０は、インターホン親機２０が受け付けた音声の音声信号を受け取ると、ロビーインターホン装置１０に送信する。
【００６９】
制御装置４０は、更に、ロビーの扉の施錠及び解錠の制御を行う。例えば、制御装置４０は、インターホン親機２０から解錠信号を受け取ると、ロビーの扉５２の解錠を行い、一定時間経過後、扉５２の施錠を行う。また、制御装置４０は、ロビーインターホン装置１０から解錠信号を受け取ると、ロビーの扉５２の解錠を行い、一定時間経過後、扉５２の施錠を行う。なお、ロビーの扉の施錠及び解錠の制御は、ロビーインターホン装置１０が行ってもよい。
【００７０】
（３）動作
ここでは、インターホンシステム１の動作について、具体例を用いて説明する。
【００７１】
（３−１）動作例１
ここでは、トリガ条件としてセンサ装置５０の検知結果を設定した場合におけるインターホンシステム１の動作について、図３に示す流れ図を用いて説明する。また、利用用途として、呼出用途と、第１認証用途（又は第２認証用途）とが設定されている。
【００７２】
ロビーインターホン装置１０の入力部１０４は、センサ装置５０から検知結果を受け付ける（ステップＳ１）。
【００７３】
ロビーインターホン装置１０の処理部１０５は、入力部１０４が受け付けたセンサ装置５０の検知結果が人を検知したことを表しているか否かを判断する（ステップＳ２）。
【００７４】
検知結果が人を検知したことを表していないと判断する場合には（ステップＳ２における「Ｎｏ」）、処理は再度センサ装置５０から検知結果を受け付け待ちになる。
【００７５】
検知結果が人を検知したことを表していると判断する場合には（ステップＳ２における「Ｙｅｓ」）、トリガ条件を満たしているので、処理部１０５は、撮像部１１を起動し、撮像部１１に撮像を開始させる（ステップＳ３，Ｓ４）。
【００７６】
処理部１０５は、撮像部１１が画像の撮像を開始した後、所定時間内に操作部１４が呼出操作を受け付けたか否かを判断する（ステップＳ５）。
【００７７】
所定時間内に操作部１４が呼出操作を受け付けたと判断する場合（ステップＳ５における「Ｙｅｓ」）、処理部１０５は、画像の利用用途を呼出用途と判断し、呼出処理を行う（ステップＳ６）。具体的には、処理部１０５は、制御信号（呼出信号）及び撮像部１１が撮像した画像をインターホン親機２０に送信する。その後、処理部１０５は、インターホン親機２０との間で通話が可能な状態である場合に、通話部１５のマイクロホンから来訪者の音声のデータ（音声信号）を受け取ると、受け取った音声信号をインターホン親機２０に送信する。処理部１０５は、インターホン親機２０との間で通話が可能な状態である場合に、インターホン親機２０から操作者の音声信号を受け取ると、受け取った音声信号を通話部１５のスピーカに出力する。このときスピーカは受け取った音声信号を基に音声を出力する。
【００７８】
操作部１４が未だ呼出操作を受け付けていないと判断する場合（ステップＳ５における「Ｎｏ」）、処理部１０５は、所定時間が経過したか否かを判断する（ステップＳ７）。
【００７９】
所定時間が経過していないと判断する場合（ステップＳ７における「Ｎｏ」）、処理は、操作部１４に対する操作の受付待ちとなる。
【００８０】
所定時間が経過したと判断する場合（ステップＳ７における「Ｙｅｓ」）、処理部１０５は、画像の利用用途を第１認証用途（又は第２認証用途）と判断し、撮像部１１が撮像した画像を、サーバ６０に送信する（ステップＳ８）。
【００８１】
画像の送信後、処理部１０５は、サーバ６０が行った認証の認証結果を受信する（ステップＳ９）。
【００８２】
ステップＳ６の呼出処理後、インターホンシステム１の制御装置４０は、インターホン親機２０の操作に応じて開閉処理を行う（ステップＳ１０）。具体的には、制御装置４０は、インターホン親機２０から解錠信号を受け取ると、扉５２の解錠を行い、一定時間経過後、扉５２の施錠を行う。また、ステップＳ９で認証結果を受け取った後も、制御装置４０は、ロビーインターホン装置１０の指示に応じて、ステップＳ１０の開閉処理を行う。具体的には、制御装置４０は、ロビーインターホン装置１０から解錠信号を受け取ると、扉５２の解錠を行い、一定時間経過後、扉５２の施錠を行う。
【００８３】
なお、トリガ条件としてセンサ部１２の検知結果の有無を設定した場合においても上記と同様の処理で実現できる。
【００８４】
（３−２）動作例２
ここでは、トリガ条件として呼出操作の有無を設定した場合におけるインターホンシステム１の動作について、図４に示す流れ図を用いて説明する。また、利用用途として、呼出用途と、第１認証用途（又は第２認証用途）とが設定されている。この場合、ロビーインターホン装置１０は、所定時間内に呼出操作が行われた場合には利用用途を呼出用途とするトリガ条件が成立したと判断する。ロビーインターホン装置１０は、所定時間内に呼出操作が行われなかった場合には利用用途を第１認証用途（又は第２認証用途）とするトリガ条件が成立したと判断する。
【００８５】
ロビーインターホン装置１０の入力部１０４は、センサ装置５０（又はセンサ部１２）から検知結果を受け付ける（ステップＳ５０）。
【００８６】
ロビーインターホン装置１０の処理部１０５は、入力部１０４が受け付けたセンサ装置５０（又はセンサ部１２）の検知結果が人を検知したことを表しているか否かを判断する（ステップＳ５１）。
【００８７】
検知結果が人を検知したことを表していないと判断する場合には（ステップＳ５１における「Ｎｏ」）、処理は再度センサ装置５０（又はセンサ部１２）から検知結果を受け付け待ちになる。
【００８８】
検知結果が人を検知したことを表していると判断する場合には（ステップＳ５１における「Ｙｅｓ」）、処理部１０５は、撮像部１１を起動する（ステップＳ５２）。
【００８９】
処理部１０５は、撮像部１１が画像の撮像を開始した後、所定時間内に操作部１４が呼出操作を受け付けたか否かを判断する（ステップＳ５３）。
【００９０】
所定時間内に操作部１４が呼出操作を受け付けたと判断する場合（ステップＳ５３における「Ｙｅｓ」）、処理部１０５は、利用用途を呼出用途とするトリガ条件を満たしているので、撮像部１１に撮像を開始させ、呼出処理を行う（ステップＳ５４，Ｓ５５）。具体的には、処理部１０５は、制御信号（呼出信号）及び撮像部１１が撮像した画像をインターホン親機２０に送信する。その後、処理部１０５は、インターホン親機２０との間で通話が可能な状態である場合に、通話部１５のマイクロホンから来訪者の音声のデータ（音声信号）を受け取ると、受け取った音声信号をインターホン親機２０に送信する。処理部１０５は、インターホン親機２０との間で通話が可能な状態である場合に、インターホン親機２０から操作者の音声信号を受け取ると、受け取った音声信号を通話部１５のスピーカに出力する。このときスピーカは受け取った音声信号を基に音声を出力する。
【００９１】
操作部１４が未だ操作を受け付けていないと判断する場合（ステップＳ５３における「Ｎｏ」）、処理部１０５は、所定時間が経過したか否かを判断する（ステップＳ５６）。
【００９２】
所定時間が経過していないと判断する場合（ステップＳ５６における「Ｎｏ」）、処理は、操作部１４に対する呼出操作の受付待ちとなる。
【００９３】
所定時間が経過したと判断する場合（ステップＳ５６における「Ｙｅｓ」）、処理部１０５は、利用用途を第１認証用途（又は第２認証用途）とするトリガ条件を満たしているので、撮像部１１に撮像を開始させる（ステップＳ５７）。処理部１０５は、撮像部１１が撮像した画像を、サーバ６０に送信する（ステップＳ５８）。
【００９４】
画像の送信後、処理部１０５は、サーバ６０が行った認証の認証結果を受信する（ステップＳ５９）。
【００９５】
ステップＳ５５の呼出処理後、インターホンシステム１の制御装置４０は、インターホン親機２０の操作に応じて開閉処理を行う（ステップＳ６０）。具体的には、制御装置４０は、インターホン親機２０から解錠信号を受け取ると、扉５２の解錠を行い、一定時間経過後、扉５２の施錠を行う。また、ステップＳ５９で認証結果を受け取った後も、制御装置４０は、ロビーインターホン装置１０の指示に応じて、ステップＳ６０の開閉処理を行う。具体的には、制御装置４０は、ロビーインターホン装置１０から解錠信号を受け取ると、扉５２の解錠を行い、一定時間経過後、扉５２の施錠を行う。
【００９６】
（３−３）動作例３
ここでは、トリガ条件として呼出操作を設定した場合におけるインターホンシステム１の動作について、説明する。この場合、呼出操作を受け付けた場合に、撮像部１１は撮像を開始するので、サーバ６０による認証処理は行わない。
【００９７】
そのため、この場合におけるインターホンシステム１は、図４に示すステップＳ５０〜Ｓ５６及びステップＳ６０を実行する。なお、所定時間内に呼出操作が行われない場合には（ステップＳ５６における「Ｎｏ」）、処理は終了する。つまり、呼出処理及び開閉処理は行われない。
【００９８】
（３−４）サーバの動作
ここでは、サーバ６０の動作について、図５に示す流れ図を用いて説明する。
【００９９】
サーバ６０の制御部６３は、ロビーインターホン装置１０から撮像部１１が撮像した画像と、当該画像の利用用途とを受け取ると、利用用途が第１認証用途であるか否かを判断する（ステップＳ１００）。
【０１００】
利用用途が第１認証用途であると判断する場合（ステップＳ１００における「Ｙｅｓ」）、制御部６３は、本人認証処理を行う（ステップＳ１０１）。具体的には、制御部６３は、受け取った画像と、記憶部６２が記憶している各専有部の住居者の顔の画像とを比較する。
【０１０１】
利用用途が第１認証用途でない、言い換えると利用用途が第２認証用途であると判断する場合（ステップＳ１００における「Ｎｏ」）、制御部６３は、来客認証処理を行う（ステップＳ１０２）。具体的には、制御部６３は、受け取った画像と、記憶部６２が記憶している各専有部の住居者の顔の画像及び予め登録された来訪者の顔の画像とを比較する。
【０１０２】
制御部６３は、ステップＳ１０１及びステップＳ１０２のいずれかで行われた処理の結果（認証結果）を、ロビーインターホン装置１０に送信する（ステップＳ１０３）。
【０１０３】
（４）利点
本実施形態では、インターホンシステム１は、撮像部１１が撮像を開始するトリガ条件を設定する。そのため、例えば、画像の利用用途に応じて撮像開始のタイミングを設定することができる。画像を認証に用いる場合には、扉５１（図２参照）で人を検知したときから撮像を開始することで、訪問者が扉５２に到達する前に撮像を開始する場合に比べて、認証処理を早いタイミングで実行することができる。そのため、訪問者が扉５２に到達してから扉５２が開くまでの時間が短いため、待ち時間によるストレスを減少することができる。また、画像を呼出に用いる場合には、扉５１（図２参照）で人を検知したときから撮像を開始する必要はない。そこで、呼出操作が行われたタイミングで撮像を開始することで、撮像による消費電力を抑えることができる。
【０１０４】
（５）まとめ
（５．１）以上説明したように、本開示に係るロビーインターホン装置（１０）は、共用部及び複数の専有部を有する施設（５）において共用部に設けられる。ロビーインターホン装置（１０）は、撮像部（１１）と、撮像部（１１）が撮像を開始するためのトリガ条件又は撮像部（１１）が撮像した画像を用いた処理を開始するためのトリガ条件を設定する条件設定部（第１設定部１０１）とを備える。この構成によると、撮像部（１１）が撮像を開始するためのトリガ条件又は撮像部（１１）が撮像した画像を用いた処理を開始するためのトリガ条件を設定するので、用途に応じて撮像の開始タイミングを変更したり、他の用途に用いるタイミングを設定したりすることができる。
【０１０５】
（５．２）本開示に係るロビーインターホン装置（１０）は、上記（５．１）において、入力情報を受け付ける入力部（１０４）を、さらに備える。トリガ条件は、入力部（１０４）が受け付けた入力情報の有無、又は入力情報の種類を含む。この構成によると、入力情報に応じてトリガ条件を設定することができる。
【０１０６】
（５．３）本開示に係るロビーインターホン装置（１０）は、上記（５．２）において、操作部（１４）を、さらに備える。入力情報は、操作部（１４）が受け付けた操作に係る情報を含む。この構成によると、操作部（１４）が受け付けた操作に応じたトリガ条件を設定することができる。
【０１０７】
（５．４）本開示に係るロビーインターホン装置（１０）では、上記（５．２）又は（５．３）において、入力部（１０４）は、外部機器（例えば、センサ装置５０）から情報を入力情報として受け取る。この構成によると、外部機器からの情報に応じてトリガ条件を設定することができる。
【０１０８】
（５．５）本開示に係るロビーインターホン装置（１０）は、上記（５．１）〜（５．４）のいずれかにおいて、撮像部（１１）が撮像した画像の用途を設定する用途設定部（第２設定部１０２）を、さらに備える。用途設定部は、複数の専有部のうち１つの専有部に設けられた情報端末（例えば、インターホン親機２０）に送信する第１用途と、第１用途とは異なる用途である第２用途とを少なくとも含む複数の用途候補から前記画像の用途を設定する。この構成によると、画像の用途を設定するので、撮像部（１１）が撮像した画像を呼出だけでなく、他の用途にも利用することができる。これにより、撮像部（１１）が撮像した画像の利用用途を広げることができる。
【０１０９】
（５．６）本開示に係るロビーインターホン装置（１０）では、上記（５．５）において、撮像部（１１）が撮像した画像は、人を含む。第２用途は、画像に含まれる人を認証する用途を含む。この構成によると、撮像部（１１）が撮像した画像を認証に用いることができるので、来訪者に対するセキュリティが向上する。
【０１１０】
（５．７）本開示に係るロビーインターホン装置（１０）は、上記（５．１）〜（５．６）のいずれかにおいて、撮像部（１１）が撮像した画像の送信先を設定する送信先設定部（第３設定部１０３）を、さらに備える。送信先設定部は、複数の専有部のうち１つの専有部に設けられた情報端末（例えば、インターホン親機２０）、及びは施設（５）の外部に存在する外部装置（例えば、サーバ６０）を少なくとも含む複数の送信先候補から画像の送信先を設定する。この構成によると、画像の送信先を設定するので、画像の用途に応じて当該画像の送信先を変更することができる。
【０１１１】
（５．８）本開示に係る本実施形態に係るインターホンシステム（１）は、上記（５．１）〜（５．７）のいずれかのロビーインターホン装置（１０）と、複数の専有部の各々に設けられた情報端末（インターホン親機２０）とを備える。この構成によると、撮像部（１１）が撮像を開始するためのトリガ条件又は撮像部（１１）が撮像した画像を用いた処理を開始するためのトリガ条件を設定するので、用途に応じて撮像の開始タイミングを変更したり、他の用途に用いるタイミングを設定したりすることができる。
【０１１２】
（変形例）
以下に、変形例について列記する。なお、以下に説明する変形例は、上記各実施形態と適宜組み合わせて適用可能である。
【０１１３】
実施形態において、ロビーインターホン装置１０は、撮像部１１が撮像した画像を、通信部１３及びネットワーク４を介してサーバ６０に送信する構成としたが、この構成に限定されない。ロビーインターホン装置１０は、撮像部１１が撮像した画像を、通信部１３、制御装置４０及びネットワーク４を介してサーバ６０に送信する構成としてもよい。この場合、例えば、ロビーインターホン装置１０と制御装置４０との間の通信には、ロビーインターホン装置１０とインターホン親機２０との間の通話に用いる幹線を用いて通信することもできる。なお、制御装置４０をネットワーク４に接続する場合、接続のためのゲートウェイを中継してもよいし、制御装置４０にゲートウェイ機能が組み込まれていてもよい。または、ロビーインターホン装置１０は、撮像部１１が撮像した画像を、通信部１３及び制御装置４０を介してインターホン親機２０に送信し、インターホン親機２０が制御装置４０及びネットワーク４を介してサーバ６０に送信する構成としてもよい。または、ロビーインターホン装置１０は、撮像部１１が撮像した画像を、一旦インターホン親機２０に送信し、インターホン親機２０が、制御装置４０を介すことなくサーバ６０に送信する構成としてもよい。
【０１１４】
実施形態において、扉５１の開閉検知を撮像部１１が撮像を開始するためのトリガ条件としてもよい。または、非接触通信による通信を撮像部１１が撮像を開始するためのトリガ条件としてもよい。この場合、ロビーインターホン装置１０は、カードリーダが設けられている。来訪者又は施設５の住居者であって外出先から帰宅した住居者は、予め配布されたカードに記憶された情報（例えば、利用者ＩＤ）をカードリーダに読み取らせる。処理部１０５は、カードリーダが読み取った情報を入力部１０４が受け付けると、撮像部１１が撮像を開始するためのトリガ条件を満たすと判断する。
【０１１５】
実施形態において、インターホンシステム１は、撮像部１１が撮像を開始するためのトリガ条件が設定されていない場合には、撮像部１１は、常時撮像を行う構成としてもよい。
【０１１６】
実施形態において、制御装置４０とインターホン親機２０との間の通信、及びインターホン親機２０とインターホン子機３０との間の通信は、無線通信であってもよい。また、制御装置４０とインターホン親機２０との間の通信、及びインターホン親機２０とインターホン子機３０との間の通信が無線通信である場合、インターホンシステム１は、情報端末として、インターホン親機２０を用いる代わりに携帯電話、スマートフォン、タブレット端末等を用いる構成としてもよい。
【０１１７】
実施形態では、サーバ６０が認証処理を行う構成としたが、この構成に限定されない。ロビーインターホン装置１０、インターホン親機２０及びインターホン子機３０のうちいずれかが認証処理を行ってもよい。
【０１１８】
実施形態において、第１設定部１０１は撮像部１１が撮像を開始するためのトリガ条件を設定する構成としたが、この構成に限定されない。第１設定部１０１は、撮像部１１が撮像した画像を用いた処理を開始するためのトリガ条件を設定してもよい。例えば、第１設定部１０１は、センサ装置５０が人を検知して撮像部１１が撮像を開始した後における操作部１４に対する操作を、撮像部１１が撮像した画像を用いた処理として当該画像をサーバ６０に送信する処理を開始するためのトリガ条件として受け付ける。これにより、認証のための画像をサーバ６０に送信する処理を開始するタイミングを設定することができる。また、認証をロビーインターホン装置１０で行う場合には、第１設定部１０１は、センサ装置５０が人を検知して撮像部１１が撮像を開始した後における操作部１４に対する操作を、撮像部１１が撮像した画像を用いた処理として認証処理を開始するためのトリガ条件として受け付けてもよい。
【０１１９】
または、第１設定部１０１は、センサ装置５０が人を検知したことを、撮像部１１が撮像した画像を用いた処理として当該画像をサーバ６０に送信する処理を開始するためのトリガ条件として受け付けてもよい。この場合、ロビーインターホン装置１０は、センサ装置５０が人を検知すると、撮像部１１に撮像を開始させ、撮像部１１が撮像した画像をサーバ６０に送信してサーバ６０に認証処理を行わせる。これにより、認証のための画像の撮像、及び当該画像をサーバ６０に送信する処理を開始するタイミングを設定することができる。また、認証をロビーインターホン装置１０で行う場合には、第１設定部１０１は、センサ装置５０が人を検知したことを、撮像部１１が撮像した画像を用いた処理として認証処理を開始するためのトリガ条件として受け付けてもよい。この場合、ロビーインターホン装置１０は、センサ装置５０が人を検知すると、撮像部１１に撮像を開始させ、撮像部１１が撮像した画像用いて認証処理を行う。
【０１２０】
また、第１設定部１０１は、撮像部１１が撮像を開始するためのトリガ条件、及び撮像部１１が撮像した画像を用いた処理を開始するためのトリガ条件の双方を設定してもよい。
【０１２１】
なお、実施形態において、第１設定部１０１が受け付けるトリガ条件は、ロビーインターホン装置１０の操作部１４から受け付けてもよい。つまり第１設定部は、操作部１４に対する操作に基づいてトリガ条件を設定する構成としてもよい。または、ロビーインターホン装置１０とは異なる外部装置が、ロビーインターホン装置１０に対してトリガ条件を設定してもよい。つまり、第１設定部１０１は、ロビーインターホン装置１０に設けられてもよいし、外部装置に設けられてもよい。ここで、外部装置は、例えば、インターホン親機２０、インターホンシステム１が設けられた集合住宅の管理室に備えられた管理装置、パーソナルコンピュータ等の情報端末である。第２設定部１０２についても同様に、ロビーインターホン装置１０に設けられてもよいし、外部装置に設けられてもよい。さらに、第３設定１０３についても、ロビーインターホン装置１０に設けられてもよいし、外部装置に設けられてもよい。
【０１２２】
また、実施形態において、トリガ条件、画像の用途及び画像の送信先の設定は、ロビーインターホン装置１０に対して行う構成としたが、この構成に限定されない。トリガ条件、画像の用途及び画像の送信先の設定は、撮像部を備えるインターホン子機３０に対して行ってもよい。この場合、インターホン親機２０とインターホン子機３０とを備えるインターホンシステムを、戸建の住宅（施設）に適用してもよい。トリガ条件の設定をインターホン子機３０に対して行う場合、インターホン子機３０に上述した第１設定部１０１を設ける。または、外部装置に第１設定部１０１を設けて、外部装置がインターホン子機３０に対してトリガ条件を設定してもよい。用途の設定をインターホン子機３０に対して行う場合、インターホン子機３０に上述した第２設定部１０２を設ける。または、外部装置に第２設定部１０２を設けて、外部装置がインターホン子機３０に対して用途を設定してもよい。送信先の設定をインターホン子機３０に対して行う場合、インターホン子機３０に上述した第３設定部１０３を設ける。または、外部装置に第３設定部１０３を設けて、外部装置がインターホン子機３０に対して送信先を設定してもよい。
【０１２３】
実施形態において、インターホンシステム１は、撮像部１１が撮像した画像を保存してもよい。この場合、ロビーインターホン装置１０、インターホン親機２０、インターホン子機３０、制御装置４０及びサーバ６０のうち少なくとも１つの装置が、画像を保存する。これにより、過去に来訪した人を確認することができる。
【０１２４】
実施形態において、認証に失敗した場合には、ロビーインターホン装置１０は、認証に失敗した旨を報知してもよい。例えば、ロビーインターホン装置１０は、認証に失敗した旨のメッセージを、通話部１５のスピーカを用いて音声出力する。また、撮像部１１が来訪者を撮像できなかった場合には、撮像ができなかった旨、及び撮像を再度要求する旨のうち少なくとも一方を報知してもよい。
【０１２５】
実施形態において、本人認証処理で認証が成功した場合には、予め指定された装置（携帯電話、スマートフォン、タブレット端末等）に、認証対象の住居者が帰宅した旨を通知してもよい。
【０１２６】
また、来客認証処理で認証が成功した場合には、インターホン親機２０に来客がある旨を通知してもよい。この場合、インターホン親機２０は、表示部２５に来客がある旨のメッセージを表示してもよいし、通話部２４のスピーカを用いて表示部２５に来客がある旨のメッセージを音声出力してもよい。
【０１２７】
上記実施形態は、本開示の様々な実施形態の一つに過ぎない。上記各実施形態は、本開示の目的を達成できれば、設計等に応じて種々の変更、組み合わせが可能である。また、ロビーインターホン装置１０と同様の機能は、処理方法、コンピュータプログラム、又はプログラムを記録した記録媒体等で具現化されてもよい。一態様に係るロビーインターホン装置１０の処理方法は、複数の専有部、共用部を有する施設５において共用部に設けられるロビーインターホン装置１０で用いられる。処理方法は、撮像ステップと、撮像ステップが撮像を開始するためのトリガ条件を設定する条件設定ステップとを備える。一態様に係るプログラムは、コンピュータシステムを、上述したロビーインターホン装置１０又はロビーインターホン装置１０の処理方法として機能させるためのプログラムである。
【０１２８】
本開示におけるロビーインターホン装置１０又はロビーインターホン装置１０の処理方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるロビーインターホン装置１０又はロビーインターホン装置１０の処理方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１２９】
（まとめ）
以上説明したように、第１の態様のインターホンシステム（１）は、インターホン玄関装置（ロビーインターホン装置１０、インターホン子機３０）の撮像部（１１）が撮像を開始するためのトリガ条件又は撮像部（１１）が撮像した画像を用いた処理を開始するためのトリガ条件を設定する条件設定部（第１設定部１０１）を備える。
【０１３０】
この構成によると、撮像部（１１）が撮像を開始するためのトリガ条件又は撮像部（１１）が撮像した画像を用いた処理を開始するためのトリガ条件を設定するので、用途に応じて撮像の開始タイミングを変更したり、他の用途に用いるタイミングを設定したりすることができる。
【０１３１】
第２の態様のインターホンシステム（１）は、第１の態様において、入力情報を受け付ける入力部（１０４）を、さらに備える。トリガ条件は、入力部（１０４）が受け付けた入力情報の有無、又は入力情報の種類を含む。
【０１３２】
この構成によると、入力情報に応じてトリガ条件を設定することができる。
【０１３３】
第３の態様のインターホンシステム（１）は、第２の態様において、操作部（１４）を、さらに備える。入力情報は、操作部（１４）が受け付けた操作に係る情報を含む。
【０１３４】
この構成によると、操作部（１４）が受け付けた操作に応じたトリガ条件を設定することができる。
【０１３５】
第４の態様のインターホンシステム（１）では、第２又は第３の態様において、入力部（１０４）は、外部機器（例えば、センサ装置５０）から情報を入力情報として受け取る。
【０１３６】
この構成によると、外部機器からの情報に応じてトリガ条件を設定することができる。
【０１３７】
第５の態様のインターホンシステム（１）は、第１〜第４のいずれかの態様において、撮像部（１１）が撮像した画像の用途を設定する用途設定部（第２設定部１０２）を、さらに備える。用途設定部は、情報端末（例えば、インターホン親機２０）に送信する第１用途と、第１用途とは異なる用途である第２用途とを少なくとも含む複数の用途候補から前記画像の用途を設定する。
【０１３８】
この構成によると、画像の用途を設定するので、撮像部（１１）が撮像した画像を呼出だけでなく、他の用途にも利用することができる。これにより、撮像部（１１）が撮像した画像の利用用途を広げることができる。
【０１３９】
第６の態様のインターホンシステム（１）では、第５の態様において、撮像部（１１）が撮像した画像は、人を含む。第２用途は、画像に含まれる人を認証する用途を含む。
【０１４０】
この構成によると、撮像部（１１）が撮像した画像を認証に用いることができるので、来訪者に対するセキュリティが向上する。
【０１４１】
第７の態様のインターホンシステム（１）は、第１〜第６のいずれかの態様において、撮像部（１１）が撮像した画像の送信先を設定する送信先設定部（第３設定部１０３）を、さらに備える。送信先設定部は、複数の専有部のうち１つの専有部に設けられた情報端末（例えば、インターホン親機２０）、及び外部に存在する外部装置（例えば、サーバ６０）を少なくとも含む複数の送信先候補から画像の送信先を設定する。
【０１４２】
この構成によると、画像の送信先を設定するので、画像の用途に応じて当該画像の送信先を変更することができる。
【符号の説明】
【０１４３】
１    インターホンシステム
５    施設
１０    ロビーインターホン装置（インターホン玄関装置）
１１    撮像部
１４    操作部
２０    インターホン親機（情報端末）
３０    インターホン子機（インターホン玄関装置）
５０    センサ装置（外部機器）
６０    サーバ（外部装置）
１０１    第１設定部（条件設定部）
１０２    第２設定部（用途設定部）
１０３    第３設定部（送信先設定部）
１０４    入力部
【図１】
2019193095.tif 000003
【図２】
2019193095.tif 000004
【図３】
2019193095.tif 000005
【図４】
2019193095.tif 000006
【図５】
2019193095.tif 000007